(57)【特許請求の範囲】
【請求項１】
魅力的な地理的ギフト配置を容易にするためのプログラムであって、
スマートモバイルデバイスのプロセッサに、
前記スマートモバイルデバイスのユーザにインタラクティブギフト配置マップを提示し、
前記スマートモバイルデバイスのタッチパネルディスプレイ上で前記ユーザの動作を検出し、
前記動作に応答して、遠隔ギフト配置コンピュータサーバに格納されるギフト配置データベースに含まれる前記インタラクティブギフト配置マップの真正なコピー上に象徴的ギフトアイテム又は隠しギフトを配置する要求を前記遠隔ギフト配置コンピュータサーバにクラウドを介して送信し、
前記クラウドを介して前記遠隔ギフト配置コンピュータサーバから応答を受信し、
前記応答が、前記象徴的ギフトアイテム又は前記隠しギフトが前記インタラクティブギフト配置マップの前記真正なコピー上に置かれたことを示す承認であることに応答して、前記スマートモバイルデバイスの前記ユーザに提示された前記インタラクティブギフト配置マップ上に前記象徴的ギフトアイテム又は前記隠しギフトを配置し、
前記スマートモバイルデバイスが第１の定義済み地理的境界内に存在するか否かを判断し、
前記スマートモバイルデバイスが前記第１の定義済み地理的境界内に存在しないという判断に応答して、前記スマートモバイルデバイス上に提示される前記インタラクティブギフト配置マップ上に前記象徴的ギフトアイテム及び前記隠しギフトを表示することを避け、
前記スマートモバイルデバイスが前記第１の定義済み地理的境界内に存在するという判断に応答して、前記スマートモバイルデバイス上に提示される前記インタラクティブギフト配置マップ上に前記象徴的ギフトアイテムを表示するが、前記隠しギフトを表示することを避け、
前記スマートモバイルデバイスが前記第１の定義済み地理的境界内の前記第１の定義済み地理的境界よりも小さい第２の定義済み地理的境界内に存在するか否かを判断し、
前記スマートモバイルデバイスが前記第２の定義済み地理的境界内に存在しないという判断に応答して、前記スマートモバイルデバイスに関連付けられたユーザに前記象徴的ギフトアイテムを贈呈することを避け、
前記スマートモバイルデバイスが前記第２の定義済み地理的境界内に存在するという判断に応答して、前記スマートモバイルデバイスに関連付けられた前記ユーザに前記象徴的ギフトアイテムを贈呈し、
前記スマートモバイルデバイスが前記第１の定義済み地理的境界内の前記第１の定義済み地理的境界よりも小さい定義済み近接域内に存在するか否かを判断し、
前記スマートモバイルデバイスが前記定義済み近接域内に存在しないという判断に応答して、前記スマートモバイルデバイスに関連付けられたユーザに前記隠しギフトを贈呈することを避け、
前記スマートモバイルデバイスが前記定義済み近接域内に存在するという判断に応答して、前記スマートモバイルデバイスに関連付けられた前記ユーザに前記隠しギフトを贈呈する
ことを実行させる、プログラム。
【請求項２】
前記スマートモバイルデバイスの前記プロセッサに、さらに、
前記応答が、前記インタラクティブギフト配置マップの前記真正なコピー上に前記象徴的ギフトアイテム又は前記隠しギフトを配置する前記要求の否認であることに応答して、前記スマートモバイルデバイスの前記ユーザに提示された前記インタラクティブギフト配置マップ上に前記象徴的ギフトアイテム又は前記隠しギフトを配置することを避ける
ことを実行させる、請求項１に記載のプログラム。
【請求項３】
前記スマートモバイルデバイスの前記プロセッサに、さらに、
前記象徴的ギフトアイテム又は前記隠しギフトに関連付けられたビデオを起動して再生する
ことを実行させる、請求項１又は２に記載のプログラム。
【請求項４】
前記スマートモバイルデバイスの前記プロセッサに、さらに、
前記遠隔ギフト配置コンピュータサーバの前記インタラクティブギフト配置マップの前記真正なコピー上に地理的ギフトブロッカーを置く要求を前記遠隔ギフト配置コンピュータサーバに前記クラウドを介して送信し、
前記クラウドを介して前記遠隔ギフト配置コンピュータサーバから応答を受信し、
前記応答が、前記インタラクティブギフト配置マップの前記真正なコピー上に前記地理的ギフトブロッカーが置かれたことを示す承認であることに応答して、前記スマートモバイルデバイス上に提示された前記インタラクティブギフト配置マップ上に前記地理的ギフトブロッカーを置く
ことを実行させる、請求項１から３のいずれか一項に記載のプログラム。
【請求項５】
前記スマートモバイルデバイスの前記プロセッサに、さらに、
前記応答が、前記インタラクティブギフト配置マップの前記真正なコピー上に前記地理的ギフトブロッカーを置く前記要求の否認であることに応答して、前記スマートモバイルデバイスに提示された前記インタラクティブギフト配置マップ上に前記地理的ギフトブロッカーを置くことを避ける
ことを実行させる、請求項４のプログラム。
【請求項６】
前記象徴的ギフトアイテム及び前記隠しギフトはそれぞれ第１の象徴的ギフトアイテム及び第１の隠しギフトであり、
前記第１の象徴的ギフトアイテム又は前記第１の隠しギフトを配置する前記遠隔ギフト配置コンピュータサーバに対する前記要求は、前記第１の象徴的ギフトアイテム又は前記第１の隠しギフトを配置する前記遠隔ギフト配置コンピュータサーバに対する第１の要求であり、
前記スマートモバイルデバイスの前記プロセッサに、さらに、
前記クラウドを介して前記インタラクティブギフト配置マップの前記真正なコピー上に第２の象徴的ギフトアイテム又は第２の隠しギフトを配置する第２の要求を前記遠隔ギフト配置コンピュータサーバに送信し、
前記クラウドを介して前記遠隔ギフト配置コンピュータサーバから前記第２の要求に対する応答を受信し、
前記第２の要求に対する前記応答が、前記第２の象徴的ギフトアイテム又は前記第２の隠しギフトが前記地理的ギフトブロッカーと重なるために前記インタラクティブギフト配置マップの前記真正なコピー上に置かれなかったことを示す否認であることに応答して、前記スマートモバイルデバイス上に提示された前記インタラクティブギフト配置マップ上に前記第２の象徴的ギフトアイテム又は前記第２の隠しギフトを配置することを避ける
ことを実行させる、
請求項４又は５に記載のプログラム。
【請求項７】
魅力的な地理的ギフト配置を容易にするためのコンピュータにより実現される方法であって、
スマートモバイルデバイス上にインタラクティブギフト配置マップを提示し、
前記インタラクティブギフト配置マップ上に象徴的ギフトアイテム又は隠しギフトを配置する要求を前記スマートモバイルデバイスのギフト配置論理部により受信し、
前記象徴的ギフトアイテム又は前記隠しギフトを前記インタラクティブギフト配置マップの真正なコピー上に配置する要求を遠隔ギフト配置コンピュータサーバに送信し、
前記遠隔ギフト配置コンピュータサーバからの応答を受信し、
前記応答が、前記象徴的ギフトアイテム又は前記隠しギフトが前記インタラクティブギフト配置マップの前記真正なコピー上に置かれたことを示す承認であることに応答して、前記スマートモバイルデバイス上に提示された前記インタラクティブギフト配置マップ上に前記象徴的ギフトアイテム又は前記隠しギフトを配置し、
前記スマートモバイルデバイスが第１の定義済み地理的境界内に存在するか否かを判断し、
前記スマートモバイルデバイスが前記第１の定義済み地理的境界内に存在しないという判断に応答して、前記スマートモバイルデバイス上に提示される前記インタラクティブギフト配置マップ上に前記象徴的ギフトアイテム及び前記隠しギフトを表示することを避け、
前記スマートモバイルデバイスが前記第１の定義済み地理的境界内に存在するという判断に応答して、前記スマートモバイルデバイス上に提示される前記インタラクティブギフト配置マップ上に前記象徴的ギフトアイテムを表示するが、前記隠しギフトを表示することを避け、
前記スマートモバイルデバイスが前記第１の定義済み地理的境界内の前記第１の定義済み地理的境界よりも小さい第２の定義済み地理的境界内に存在するか否かを判断し、
前記スマートモバイルデバイスが前記第２の定義済み地理的境界内に存在しないという判断に応答して、前記スマートモバイルデバイスに関連付けられたユーザに前記象徴的ギフトアイテムを贈呈することを避け、
前記スマートモバイルデバイスが前記第２の定義済み地理的境界内に存在するという判断に応答して、前記スマートモバイルデバイスに関連付けられた前記ユーザに前記象徴的ギフトアイテムを贈呈し、
前記スマートモバイルデバイスが前記第１の定義済み地理的境界よりも小さい定義済み近接域内に存在するか否かを判断し、
前記スマートモバイルデバイスが前記定義済み近接域内に存在しないという判断に応答して、前記スマートモバイルデバイスに関連付けられたユーザに前記隠しギフトを贈呈することを避け、
前記スマートモバイルデバイスが前記定義済み近接域内に存在するという判断に応答して、前記スマートモバイルデバイスに関連付けられた前記ユーザに前記隠しギフトを贈呈する、
方法。
【請求項８】
さらに、前記象徴的ギフトアイテム又は前記隠しギフトが前記ユーザに贈呈されたことを前記ユーザに通知する、請求項７の方法。
【請求項９】
さらに、
前記インタラクティブギフト配置マップ上に地理的ギフトブロッカーを置く要求を前記スマートモバイルデバイスの前記ギフト配置論理部により受信し、
前記地理的ギフトブロッカーを前記インタラクティブギフト配置マップの前記真正なコピー上に置く要求を遠隔ギフト配置コンピュータサーバに送信し、
前記要求に応答して、前記遠隔ギフト配置コンピュータサーバから応答を受信し、
前記応答が、前記インタラクティブギフト配置マップの前記真正なコピー上に前記地理的ギフトブロッカーが置かれたことを示す承認であることに応答して、前記スマートモバイルデバイス上に提示された前記インタラクティブギフト配置マップ上に前記地理的ギフトブロッカーを置く、
請求項７又は８に記載の方法。
【請求項１０】
前記象徴的ギフトアイテム及び前記隠しギフトはそれぞれ第１の象徴的ギフトアイテム及び第１の隠しギフトであり、
前記第１の象徴的ギフトアイテム又は前記第１の隠しギフトを配置する前記遠隔ギフト配置コンピュータサーバに対する前記要求は、前記第１の象徴的ギフトアイテム又は前記第１の隠しギフトを配置する前記遠隔ギフト配置コンピュータサーバに対する第１の要求であり、
さらに、
前記インタラクティブギフト配置マップの前記真正なコピー上に第２の象徴的ギフトアイテム又は第２の隠しギフトを配置する第２の要求を前記遠隔ギフト配置コンピュータサーバに送信し、
前記遠隔ギフト配置コンピュータサーバから前記第２の要求に対する応答を受信し、
前記応答が、前記第２の象徴的ギフトアイテム又は前記第２の隠しギフトが前記地理的ギフトブロッカーと重なるために前記インタラクティブギフト配置マップの前記真正なコピー上に置かれなかったことを示す否認であることに応答して、前記スマートモバイルデバイス上に提示された前記インタラクティブギフト配置マップ上に前記第２の象徴的ギフトアイテム又は前記第２の隠しギフトを配置することを避ける、
請求項９の方法。
【請求項１１】
魅力的な地理的ビデオ配置を容易にするためのプログラムであって、
スマートモバイルデバイスのプロセッサに、
前記スマートモバイルデバイスのユーザにインタラクティブビデオ配置マップを提示し、
前記スマートモバイルデバイスのタッチパネルディスプレイ上で前記ユーザの動作を検出し、
前記動作に応答して、遠隔ビデオ配置コンピュータサーバに格納されるビデオ配置データベースに含まれる前記インタラクティブビデオ配置マップの真正なコピー上にビデオ又は隠しビデオを配置する要求を前記遠隔ビデオ配置コンピュータサーバにクラウドを介して送信し、
前記クラウドを介して前記遠隔ビデオ配置コンピュータサーバから応答を受信し、
前記応答が、前記ビデオ又は前記隠しビデオが前記インタラクティブビデオ配置マップの前記真正なコピー上に置かれたことを示す承認であることに応答して、前記スマートモバイルデバイスの前記ユーザに提示された前記インタラクティブビデオ配置マップ上に前記ビデオ又は前記隠しビデオを配置し、
前記スマートモバイルデバイスが第１の定義済み地理的境界内に存在するか否かを判断し、
前記スマートモバイルデバイスが前記第１の定義済み地理的境界内に存在しないという判断に応答して、前記スマートモバイルデバイス上に提示される前記インタラクティブビデオ配置マップ上に前記ビデオ及び前記隠しビデオを表示することを避け、
前記スマートモバイルデバイスが前記第１の定義済み地理的境界内に存在するという判断に応答して、前記スマートモバイルデバイス上に提示される前記インタラクティブビデオ配置マップ上に前記ビデオを表示するが、前記隠しビデオを表示することを避け、
前記ビデオを視聴する要求をユーザから受信し、
前記スマートモバイルデバイスが前記第１の定義済み地理的境界内の前記第１の定義済み地理的境界よりも小さい第２の定義済み地理的境界内に存在するか否かを判断し、
前記スマートモバイルデバイスが前記第２の定義済み地理的境界内に存在するという判断に応答して、前記ビデオを前記ユーザのために再生し、
前記スマートモバイルデバイスが前記第１の定義済み地理的境界内の前記第１の定義済み地理的境界よりも小さい定義済み近接域内に存在するか否かを判断し、
前記スマートモバイルデバイスが前記定義済み近接域内に存在しないという判断に応答して、前記スマートモバイルデバイス上に提示される前記インタラクティブビデオ配置マップ上に前記隠しビデオを表示することを避け、
前記スマートモバイルデバイスが前記定義済み近接域内に存在するという判断に応答して、前記スマートモバイルデバイス上に提示される前記インタラクティブビデオ配置マップ上に前記隠しビデオを表示する
ことを実行させる、プログラム。
【請求項１２】
前記スマートモバイルデバイスの前記プロセッサに、さらに、
前記応答が、前記インタラクティブビデオ配置マップ上に前記ビデオ又は前記隠しビデオを配置する前記要求の否認であることに応答して、前記スマートモバイルデバイスの前記ユーザに提示された前記インタラクティブビデオ配置マップ上に前記ビデオ又は前記隠しビデオを配置することを避ける
ことを実行させる、請求項11に記載のプログラム。
【請求項１３】
前記スマートモバイルデバイスの前記プロセッサに、さらに、
前記遠隔ビデオ配置コンピュータサーバの前記インタラクティブビデオ配置マップの前記真正なコピー上に地理的ビデオブロッカーを置く要求を前記遠隔ビデオ配置コンピュータサーバに前記クラウドを介して送信し、
前記クラウドを介して前記遠隔ビデオ配置コンピュータサーバから応答を受信し、
前記応答が、前記インタラクティブビデオ配置マップの前記真正なコピー上に前記地理的ビデオブロッカーが置かれたことを示す承認であることに応答して、前記スマートモバイルデバイス上に提示された前記インタラクティブビデオ配置マップ上に前記地理的ビデオブロッカーを置く
ことを実行させる、請求項11又は12に記載のプログラム。
【請求項１４】
前記ビデオ及び前記隠しビデオはそれぞれ第１のビデオ及び第１の隠しビデオであり、
前記第１のビデオ又は前記第１の隠しビデオを配置する前記遠隔ビデオ配置コンピュータサーバに対する前記要求は、前記第１のビデオ又は前記第１の隠しビデオを配置する前記遠隔ビデオ配置コンピュータサーバに対する第１の要求であり、
前記スマートモバイルデバイスの前記プロセッサに、さらに、
前記クラウドを介して前記インタラクティブビデオ配置マップの前記真正なコピー上に第２のビデオ又は第２の隠しビデオを配置する第２の要求を前記遠隔ビデオ配置コンピュータサーバに送信し、
前記クラウドを介して前記遠隔ビデオ配置コンピュータサーバから前記第２の要求に対する応答を受信し、
前記第２の要求に対する前記応答が、前記第２のビデオ又は前記第２の隠しビデオが前記地理的ビデオブロッカーと重なるために前記インタラクティブビデオ配置マップの前記真正なコピー上に置かれなかったことを示す否認であることに応答して、前記スマートモバイルデバイス上に提示された前記インタラクティブビデオ配置マップ上に前記第２のビデオ又は前記第２の隠しビデオを配置することを避ける
ことを実行させる、
請求項13のプログラム。
【発明の詳細な説明】
【技術分野】
【０００１】
本出願は、ギフト贈呈及びビデオ配置方法及びシステムに関するものであり、特に、モバイルスマートデバイスとインタラクティブ配置マップを用いてギフトの配置又はビデオの配置を簡単にするシステム及び方法に関するものである。
【背景】
【０００２】
ギフト贈呈は高尚で献身的な行為である。人間は何千年にもわたってギフトの贈呈を行ってきている。ギフト贈呈は、伝統的には、ある人間が物理的にギフトを他人に手渡すことによって本人によりなされている。インターネットの出現により、現在では、電子的にギフト贈呈を行うことができる。例えば、米国赤十字社（登録商標）、ユナイテッド・ウェイ（登録商標）、又は他の慈善的な組織のような組織に対してクレジットカードを用いて慈善的な寄付を行うことができる。他の例としては、Paypal（登録商標）のようなオンラインアプリケーションを用いてある人から別の人に直接送金することができる。しかしながら、現在、インターネットを介して匿名でギフト贈呈を行うことは困難である。また、現状では、匿名であるかそうでないかを問わず、人々がインターネットを用いてギフト贈呈を行うことに対する魅力がほとんどない。また、現在では、インタラクティブマップの価値を高めるためにビデオを地理的な位置に関連付けることが難しい。
【０００３】
したがって、インターネットを用いてギフト贈呈を行うための魅力的で楽しい方法を提供し、また、インタラクティブマップ上にビデオを配置するための改善された方法及びシステムに対する需要が依然として存在する。本発明の概念の実施形態は、従来技術におけるこれらの制限及び他の制限を解決するものである。
【図面の簡単な説明】
【０００４】
【図１】図１は、本発明の概念の様々な実施形態によるギフト配置論理部を有するスマートモバイルデバイスと、ギフト配置論理部を有するデスクトップコンピュータと、遠隔ギフト配置サーバとを含む例示のシステムのブロック図を示している。
【図２】図２は、本発明の概念の様々な実施形態によるインタラクティブギフト配置マップの図を示している。
【図３】図３は、本発明の概念の様々な実施形態によるインタラクティブギフト配置マップの公平性を実現する手法を示すフローチャートである。
【図４】図４は、本発明の概念の様々な実施形態によるインタラクティブなギフトの配置を管理する手法を示すフローチャートである。
【図５】図５は、本発明の概念の様々な実施形態によるビデオ配置論理部を有するスマートモバイルデバイスと、ビデオ配置論理部を有するデスクトップコンピュータと、遠隔ビデオ配置サーバとを含む例示のシステムのブロック図を示している。
【図６】図６は、本発明の概念の様々な実施形態によるインタラクティブビデオ配置マップの図を示している。
【図７】図７は、本発明の概念の様々な実施形態によるインタラクティブビデオ配置マップの公平性を実現する手法を示すフローチャートである。
【図８】図８は、本発明の概念の様々な実施形態によるインタラクティブなビデオの配置を管理する手法を示すフローチャートである。
【０００５】
本発明の概念の上述した特徴及び他の特徴は、添付図面を参照して進められる以下の詳細な説明からより簡単に明らかになるであろう。
【実施形態の詳細な説明】
【０００６】
ここで、本発明の概念の実施形態について詳細に説明する。本発明の概念の例は添付図面に図示されている。添付図面は、必ずしも縮尺通りに描かれているとは限らない。以下の詳細な説明においては、本発明の概念を完全に理解できるように数多くの具体的な詳細が述べられている。しかしながら、当業者は、これらの具体的な詳細がなくても本発明の概念を実現可能であることを理解すべきである。実施形態の態様を不必要にわかりにくくしないように、他の例においては、既知の方法、手順、構成要素、回路、及びネットワークの詳細については述べられていない。
【０００７】
第１、第２などの用語は、様々な要素を述べるために本明細書において使用され得るが、これらの要素はこれらの用語によって限定されるべきではないことは理解されよう。これらの用語は、ある要素を他の要素から区別するためだけに使用されるものである。例えば、本発明の概念の範囲から逸脱することなく、第１のインタラクティブマップは第２のインタラクティブマップと呼ぶことができ、同様に、第２のインタラクティブマップは第１のインタラクティブマップと呼ぶことができる。
【０００８】
ある要素又はレイヤが他の要素又はレイヤの「上」にある、「連結」される、又は「接続」されるというときは、その要素又はレイヤは、他の要素又はレイヤの上に直接あってもよく、直接連結されていてもよく、直接接続されていてもよく、あるいは、介在する要素又はレイヤが存在してもよいことは理解できよう。これに対して、ある要素が他の要素又はレイヤの「上に直接」ある、「直接連結」される、又は「直接接続」されるというときは、介在する要素又はレイヤが存在しない。全体を通して同様の数字は同様の要素を意味している。本明細書において使用される場合には、「及び／又は」という用語は、列挙された関連項目のうちの１つ以上のものの任意の組み合わせ及びすべての組み合わせを含んでいる。
【０００９】
本明細書で本発明の概念の説明において使用される用語は、特定の実施形態を述べるためだけのものであり、本発明の概念を限定することを意図しているものではない。本発明の概念の説明及び添付した特許請求の範囲において使用される場合には、単数形は、文脈が明確にそうでないことを示している場合を除いて複数形も含むことを意図している。本明細書で使用される場合には「及び／又は」という用語は、列挙された関連項目のうち１つ以上のものの任意の組み合わせ及びすべての考えられる組み合わせを意味し、これらを包含することも理解されよう。さらに、本明細書で使用される場合には「備える」及び／又は「備えている」という用語は、述べられた特徴、整数、工程、動作、要素、及び／又は構成要素の存在を特定するものであるが、１以上の他の特徴、整数、工程、動作、要素、構成要素、及び／又はそれらのグルーブの存在又は追加を排除するものではないことも理解できよう。
【００１０】
図１は、本発明の概念の様々な実施形態によるギフト配置論理部130を有するスマートモバイルデバイス110と、ギフト配置論理部130を有するデスクトップコンピュータ170と、遠隔ギフト配置サーバ140とを含む例示的なシステム100のブロック図を示している。
【００１１】
このシステム100は、スマートモバイルデバイス110を含んでおり、このスマートモバイルデバイス110は、ユーザ115により使用され得る。ユーザ115は、個人又は企業の代理人であり得る。スマートモバイルデバイス110は、例えば、スマートフォン、スマートタブレット、ラップトップコンピュータなどであり得る。スマートモバイルデバイス110は、タッチパネルディスプレイ112を含み得る。スマートモバイルデバイス110は、スマートモバイルデバイス論理120を含み得る。スマートモバイルデバイス論理120は、マイクロプロセッサ125を含み得る。さらに、スマートモバイルデバイス論理120は、ギフト配置論理部130を含み得る。ギフト配置論理部130は、マイクロプロセッサ125により制御され得るか、あるいはマイクロプロセッサ125により実行され得る。ギフト配置論理部130は、以下でさらに詳細に説明されるインタラクティブギフト配置マップ135を含み得る。また、ギフト配置論理部130は、ギフトブロッカー論理部138を含み得る。ギフトブロッカー論理部138も以下でさらに詳細に説明される。
【００１２】
システム100は、デスクトップコンピュータ170をさらに含み得る。このデスクトップコンピュータ170は、ユーザ195により使用され得る。ユーザ195は、個人又は企業の代理人であり得る。デスクトップコンピュータ170は、例えば、パーソナルコンピュータ、ワークステーションコンピュータ、サーバなどであり得る。デスクトップコンピュータ170は、デバイス論理175を含み得る。デバイス論理175は、マイクロプロセッサ190を含み得る。さらに、デスクトップコンピュータ170のデバイス論理175は、ギフト配置論理部130を含み得る。ギフト配置論理部130は、マイクロプロセッサ190により制御され得るか、あるいはマイクロプロセッサ190により実行され得る。ギフト配置論理部130は、以下でさらに詳細に説明されるインタラクティブギフト配置マップ135を含み得る。
【００１３】
システム100は、遠隔ギフト配置サーバ140をさらに含み得る。スマートモバイルデバイス110は、クラウド105を介して遠隔ギフト配置サーバ140と通信可能に連結され得る。遠隔ギフト配置サーバ140は、例えばコンピュータサーバ145を含み得る。遠隔ギフト配置サーバ140は、以下でさらに詳細に説明されるマイクロプロセッサ150及びギフト配置データベース155を含み得る。
【００１４】
システム100は、インタラクティブギフト配置マップ135上で金銭的価値を有するギフト及び物（以下、象徴的ギフトアイテム160という）をデジタル的に配置することを容易にするものである。例えば、象徴的ギフトアイテム160は、ギフトカード、クーポン、価値のある販売促進物、現金、仮想通貨、仮想トークン、暗号トークンなどを含み得る。象徴的ギフトアイテム160は、インタラクティブギフト配置マップ135上に置かれた後、インタラクティブギフト配置マップ135上の特定の地理的位置において視覚的に現れることができる。あるいは、象徴的ギフトアイテム160は、インタラクティブギフト配置マップ135上で視覚的に現れる必要はなく、インタラクティブギフト配置マップ135上の特定の地理的位置において隠れた状態で存在していてもよい。
【００１５】
象徴的ギフトアイテム160は、インタラクティブギフト配置マップ135上に配置され得る。例えば、ユーザが、象徴的ギフトアイテム160を表すアイコンを選択し、指動作で象徴的ギフトアイテム160がマップ上で地理的に位置すべき場所に対応するインタラクティブギフト配置マップ135上の場所を指が指すまでスマートモバイルデバイス110のタッチパネルディスプレイ112上をスワイプしてもよい。指を上げることにより、象徴的ギフトアイテム160をその場所に関連付けることができ、これによりギフトの配置が完了する。デスクトップコンピュータ170を用いて、指ではなくマウス（図示せず）で同様のギフト配置の手順を行うことができる。
【００１６】
任意のユーザ（例えば115，195など）は、インタラクティブギフト配置マップ135を検査して、見えている象徴的ギフトアイテム160の存在を認識することができる。ある実施形態においては、ユーザ115が第１の定義済み地理的境界165内にいるときにのみ、そのユーザ115に特定の象徴的ギフトアイテム160が見えるようにし、そうでない場合には、その特定の象徴的ギフトアイテム160を視界から見えないようにすることができる。ある実施形態においては、ユーザ115が第１の定義済み地理的境界165の外側にいる場合であっても、そのユーザ115に特定の象徴的ギフトアイテム160が見えるようにすることができる。ユーザ115は、第２の定義済み地理的境界168内に物理的にいる限り、見えている象徴的ギフトアイテム160をインタラクティブギフト配置マップ135上で選択することによりその象徴的ギフトアイテム160を請求することができる。第１の定義済み地理的境界165は、第２の定義済み地理的境界168よりも大きい。例えば、第１の定義済み地理的境界165が３マイルの直径を有し、第２の定義済み地理的境界168が50フィートの直径を有していてもよい。第１の地理的境界及び第２の地理的境界（165及び168）のそれぞれは、円、楕円、正方形、矩形、三角形の形状、任意の好適な形状などを有し得る。
【００１７】
象徴的ギフトアイテム160の位置は、インタラクティブギフト配置マップ135上に象徴的ギフトアイテム160を配置する人や企業の位置と地理的に無関係であってもよい。したがって、ギフトの配置は、匿名にすることができ、あるいは、ギフトの送り主と地理的に無関係であってもよい。例えば、企業は、その企業の実際の物理的な位置でギフトを配置する必要はない。むしろ、企業は、野球場、特別なイベント、シンポジウム、競技場などにギフトを配置することができる。
【００１８】
あるいは、象徴的ギフトアイテム160の位置は、インタラクティブギフト配置マップ135上に象徴的ギフトアイテム160を配置する人又は企業の位置と地理的に関連付けられていてもよい。したがって、ギフトの配置は、匿名にする必要はなく、ギフトの送り主と地理的に関連付けられていてもよい。例えば、企業は、その企業の実際の物理的な位置にギフトを配置することができる。
【００１９】
スマートモバイルデバイス論理120及びデバイス論理175の一方又は両方のギフト配置論理部130は、要求142を遠隔ギフト配置サーバ140に送信することができる。この要求142は、例えば、インタラクティブギフト配置マップ上に１以上の象徴的ギフトアイテム160を配置する要求を含み得る。あるいは、要求142は、例えば、以下でより詳細に述べるギフトブロッカーを生成する要求を含み得る。遠隔ギフト配置サーバ140は、要求142に対する応答144を送信することができる。この応答144は、例えば、要求された動作の承認又は否認を含み得る。
【００２０】
第１の定義済み地理的境界165内に見えているギフト配置アイテム160をフィルタしてもよい。換言すれば、ユーザ115がインタラクティブギフト配置マップ135上に見えているギフト配置アイテム160の量又は種類を限定したいと思った場合に、ユーザ115は、見えているギフト配置アイテム160の表示を限定する基準を特定することができる。例えば、ユーザは、自動車に関連するギフトアイテムのみを見せることを指定し、あるいは、食品に関連するギフトアイテムのみを見せることを指定する、といったことをすることができる。ギフト配置論理部130は、ユーザの嗜好に応じて見えているギフト配置アイテム160をフィルタすることができる。
【００２１】
他の例としては、ユーザ（例えば115，195など）は、ホームレスがよく集まる高速道路のアンダーパスの近くに１以上の象徴的ギフトアイテム160を配置してもよく、これにより、困窮している状況である可能性のある他人の命を直接救うことができる。他の例としては、ユーザ（例えば115，195など）は、ハリケーンや地震のような最近の自然災害により被害を受けた地域に１以上の象徴的ギフトアイテム160を配置してもよく、これにより困難な状況の他人に救援物資を渡すことができる。
【００２２】
象徴的ギフトアイテム160は、インタラクティブギフト配置マップ135上のある特定の位置から他の特定の位置へ最初に象徴的ギフトアイテム160を置いたユーザにより移動され得る。ある実施形態においては、最初に象徴的ギフトアイテム160を置いたユーザは、所定の待機期間の後、象徴的ギフトアイテム160をインタラクティブギフト配置マップ135上のある特定の位置から他の特定の位置に自動的に移動させるオプションを選択することができる。ある実施形態においては、最初に象徴的ギフトアイテム160を置いたユーザは、所定の期間にわたって徐々に象徴的ギフトアイテム160をインタラクティブギフト配置マップ135上のある特定の位置から他の特定の位置に自動的に移動させるオプションを選択することができる。
【００２３】
ある実施形態においては、企業に勤務しているユーザ（例えば、195）は、広告キャンペーン又は販売促進キャンペーンを作成することができる。例えば、企業は、世界中に、市内に、あるいは近所であっても、様々な地理的位置に象徴的ギフトアイテム160を置くことのような販売促進を行うことができる。既存のコーヒーショップ又は新しいコーヒーショップは、例えば、オフィスパークをターゲットにして、そのオフィスパーク中に多くの無料コーヒーチケットを置くことができる。自動車メーカー又はディーラーのような会社は、その会社の製品を宣伝するために、ある場所である時間に無料で新しい自動車を配置する又は置くという販売促進の宣伝を行うことができる。インタラクティブギフト配置マップ135で人混みの中に位置しているユーザは、仮想の配置内で最も近いユーザである場合に、通知を受け取り、賞品又はオファーを受け入れるだけでその賞品を勝ち取ることができる。
【００２４】
ギフトカード、商品、食品、衣服、靴などを含むすべての種類のオファーは、受取人に無料で送られてもよい。ギフト配置論理部130は、キャンペーンを作成した企業に対して仮想ギフト配置ごとに手数料を請求してもよいが、エンドユーザは、象徴的ギフトアイテム160を無料で受け取る。ギフトを開封する際に、ギフトに関連付けられたビデオが起動してそのユーザのために再生されてもよい。このビデオは、象徴的ギフトアイテム160の使用方法又は交換方法についての説明を含んでいてもよく、あるいは近くにある他のギフトを探し続けることを勧めることのような他の内容を含んでいてもよい。
【００２５】
個人エンドユーザ（例えば115，195など）は、他の個人エンドユーザと象徴的ギフトアイテム160を交換してもよい。個人エンドユーザ115は、象徴的ギフトアイテム160を見ることができる程度に近いか及び象徴的ギフトアイテム160がどこ置かれているかに関して距離的な制限を受け得る。例えば、ユーザ115が定義済み地理的境界165内に物理的に位置しているときにユーザ115に象徴的ギフトアイテム160が見えるようにしてもよい。定義済み地理的境界165は、円形であって、例えば、直径３マイルであってもよい。他の地理的境界や正方形、三角形、又は矩形などの形状を使用してもよいことは理解できよう。
【００２６】
ある実施形態においては、個人エンドユーザ115は、インタラクティブギフト配置マップ135上の好きなところに象徴的ギフトアイテム160を置くことができる。例えば、個人エンドユーザ115は、生まれ故郷のホームレスの避難所や世界中のどこにでも１以上の象徴的ギフトアイテム160を置くことができる。特定の場所における自然災害の場合には、個人エンドユーザ115は、災害により影響を受けた町やその近隣に１以上の象徴的ギフトアイテム160を置くことができる。
【００２７】
ある実施形態においては、個人エンドユーザ115は、公にあるいは匿名でリンクを送ることにより、他人に直接象徴的ギフトアイテム160を送ることができる。個人エンドユーザは、スマートモバイルデバイス110のディスプレイを通してギフト配置論理部130により提供されるユーザインタフェイスを介して取引のすべてを追跡することができる。ある実施形態においては、エンドユーザ115は、公にあるいは匿名で象徴的ギフトアイテム160を直接非営利団体に寄付することができる。ギフト配置論理部130は、ユーザ115が象徴的ギフトアイテム160を寄付することができる非営利団体のリストを提供することができる。システム100は、高さ制限のないインタラクティブギフト配置マップ135上の１以上の地点に現実に金銭的価値を有する象徴的ギフトアイテム160をデジタル的に配置することを容易にする。
【００２８】
ある実施形態においては、システム100は、遠隔ギフト配置コンピュータサーバ140に格納されたギフト配置データベース155を含み得る。ギフト配置データベース155は、インタラクティブギフト配置マップ135の真正なコピーを含み得る。システム100は、スマートモバイルデバイス110上で動作可能なギフト配置論理部130を含み得る。ギフト配置論理部130は、インタラクティブギフト配置マップ135を含み得る。ギフト配置論理部は、スマートモバイルデバイス110のユーザ115にインタラクティブギフト配置マップ135を提示するように構成され得る。ギフト配置論理部は、スマートモバイルデバイス110のタッチパネルディスプレイ112上でユーザ115の動作を検出するように構成されていてもよい。この動作は、例えば、指を使ったタッチ動作、指を使ったスワイプ動作、指を使ったドラッグ動作、スタイラスを使ったタッチ動作、スタイラスを使ったスワイプ動作、スタイラスを使ったドラッグ動作などであり得る。
【００２９】
この動作に応答して、ギフト配置論理部は、インタラクティブギフト配置マップ135の真正なコピー上に象徴的ギフトアイテム160を配置する要求142を遠隔ギフト配置コンピュータサーバ140にクラウド105を介して送信するように構成されていてもよい。ギフト配置論理部130は、クラウド105を介して遠隔ギフト配置コンピュータサーバ140からの応答144を受信するように構成されていてもよい。ギフト配置論理部130は、応答144が、インタラクティブギフト配置マップ135の真正なコピー上に象徴的ギフトアイテム160が置かれたことを示す承認であることに応答して、スマートモバイルデバイス110のユーザ115に提示されたインタラクティブギフト配置マップ135上に象徴的ギフトアイテム160を配置するように構成されていてもよい。これとは逆に、ギフト配置論理部130は、応答144が、インタラクティブギフト配置マップ135上に象徴的ギフトアイテム160を配置する要求の否認であることに応答して、スマートモバイルデバイス110のユーザ115に提示されたインタラクティブギフト配置マップ135上に象徴的ギフトアイテム160を配置しないように構成されていてもよい。
【００３０】
ある実施形態においては、ギフト配置論理部130は、象徴的ギフトアイテム160を請求する要求をユーザ（例えば115）から受信するようにさらに構成されていてもよい。ギフト配置論理部130は、ユーザ115が第２の定義済み地理的境界168の内側にいるかどうかを判断してもよい。ギフト配置論理部130は、ユーザ115が第２の定義済み地理的境界168の内側にいるという判断に応答して、ユーザ115に象徴的ギフトアイテム160を贈呈することができる。ある実施形態においては、ギフト配置論理部130は、象徴的ギフトアイテム160に関連付けられたビデオを起動してユーザのために再生してもよい。
【００３１】
図２は、本発明の概念の様々な実施形態によるインタラクティブギフト配置マップ135の図を示している。
【００３２】
ある実施形態においては、インタラクティブギフト配置マップ135上に１以上の隠しギフト205を隠すことができ、最初はこの隠しギフト205が皆に見えないようになっている。隠しギフト205はユーザ115に見えない。しかしながら、ユーザ115が隠しギフト205の定義済み近接域210内に入った場合に、ユーザ115に隠しギフト205が自動的に贈呈される。これは、隠しギフト205を見つけたという喜びの感情をユーザ115に起こさせることができる。隠しギフト205は、現金又は現金に引き換えることが可能な仮想トークンのような現金等価物であり得る。
【００３３】
例えば、この仮想トークンは、分散型交換所上で取引可能なイーサリアム（登録商標）トークンのような分散型トークンであり得る。他の例としては、この仮想トークンは、ビットコインのような暗号通貨であり得る。さらに他の例としては、仮想トークンは、集中型仮想トークンであり得る。定義済み近接域210は、インタラクティブギフト配置マップ135上に隠しギフト205を配置したユーザ又は企業によって設定され得る。定義済み近接域210は、円形、正方形、矩形、あるいは任意の好適な形状を有し得る。定義済み近接域210は、任意の好適な地理的なサイズと面積を有し得る。
【００３４】
ギフト配置論理部130は、ギフトブロッカー論理部138を含み得る。ギフトブロッカー論理部138は、企業が地理的ギフトブロッカー215を購入することを可能にする。地理的ギフトブロッカー215は、競合者がその物理的位置上に象徴的ギフトアイテム160を配置することを阻止することができる。すなわち、地理的ギフトブロッカー215が購入されると、ギフトブロッカー論理部138は、他のすべてのユーザ（例えば115）が地理的ギフトブロッカー215内で象徴的ギフトアイテム160又は隠しギフト205を配置することを阻止する。したがって、地理的ギフトブロッカー215を購入した企業は、競合他社がその企業に干渉すること、あるいはその企業の顧客を奪うことを防ぐことができる。ある実施形態においては、特定の物理的位置を所有又は賃借している者のみが、その位置に対する地理的ギフトブロッカー215を購入することができる。
【００３５】
例えば、ギフト配置論理部130は、インタラクティブギフト配置マップ135上に地理的ギフトブロッカー215を置く要求をユーザ（例えば115）から受信し得る。ギフト配置論理部130は、インタラクティブギフト配置マップ135の真正なコピー上に地理的ギフトブロッカー215を置く要求142を遠隔ギフト配置コンピュータサーバ140にクラウド105を介して送信し得る。ギフト配置論理部130は、クラウド105を介して遠隔ギフト配置コンピュータサーバ140からの応答144を受信し得る。
【００３６】
ギフト配置論理部130は、その応答144が、地理的ギフトブロッカー215がインタラクティブギフト配置マップ135の真正なコピー上に置かれたことを示す承認であることに応答して、スマートモバイルデバイス110上に提示されたインタラクティブギフト配置マップ135上に地理的ギフトブロッカー215を置くことができる。これとは逆に、ギフト配置論理部130は、その応答144が、インタラクティブギフト配置マップ135上に地理的ギフトブロッカー215を置く要求142の否認であることに応答して、スマートモバイルデバイス110上に提示されたインタラクティブギフト配置マップ135上に地理的ギフトブロッカー215を置かないように構成されていてもよい。
【００３７】
ある実施形態においては、ギフト配置論理部130は、インタラクティブギフト配置マップ135の真正なコピー上に第２の象徴的ギフトアイテム160を配置する第２の要求142を遠隔ギフト配置コンピュータサーバ140にクラウド105を介して送信するようにさらに構成されていてもよい。ギフト配置論理部130は、遠隔ギフト配置コンピュータサーバからクラウドを介して応答144を受信し得る。ギフト配置論理部130は、その応答144が、象徴的ギフトアイテム160が地理的ギフトブロッカー215と重なるためにインタラクティブギフト配置マップ135の真正なコピー上に置かれていないことを示す否認であることに応答して、スマートモバイルデバイス110上に提示されたインタラクティブギフト配置マップ135上に象徴的ギフトアイテム160を配置しないように構成されていてもよい。
【００３８】
ある実施形態においては、ギフト配置論理部130は、ユーザが第１の定義済み地理的境界165の外側にいるときに象徴的ギフトアイテム160をユーザ（例えば115）に対して隠すようにさらに構成されている。ある実施形態においては、ギフト配置論理部130は、ユーザ115が第１の定義済み地理的境界165の内側にいるときに象徴的ギフトアイテム160をユーザ115に見せるようにさらに構成されている。
【００３９】
図３は、本発明の概念の様々な実施形態によるインタラクティブギフト配置マップ135の公平性を実現する手法を示すフローチャート300である。この手法は、ギフト配置論理部130がインタラクティブギフト配置マップ135上に地理的ギフトブロッカー215を置く要求をユーザ（例えば115，195など）から受信する305で開始し得る。310では、ギフト配置論理部130のギフトブロッカー論理部138は、遠隔ギフト配置サーバ140と連携してインタラクティブギフト配置マップ135上に地理的ギフトブロッカー215を置くことができる。例えば、ギフト配置論理部130のギフトブロッカー論理部138は、物理的位置や建物などに対応する特定の地理的位置に地理的ギフトブロッカー215を置く要求142を遠隔ギフト配置サーバ140に送信し得る。遠隔ギフト配置サーバ140は、地理的ギフトブロッカー215が置かれたことを示す承認あるいは地理的ギフトブロッカー215が置かれなかったことを示す否認を含み得る応答144を送信し得る。
【００４０】
315では、ギフト配置論理部130は、インタラクティブギフト配置マップ135上に１以上の象徴的ギフトアイテム160又は隠しギフト205を置く要求を別のユーザ（例えば115，195など）から受信する。320では、ギフト配置論理部130は、１以上の象徴的ギフトアイテム160又は隠しギフト205が配置された位置がギフトブロッカー215と重なっているか否かを判断する。重なっている場合には、325でその要求が拒否される。一方、重なっていない場合には、ギフト配置論理部130は、330でインタラクティブギフト配置マップ135上に１以上の象徴的ギフトアイテム160又は隠しギフト205を配置する。
【００４１】
ある実施形態においては、魅力的な地理的ギフト配置を容易にするためのコンピュータにより実現される方法は、インタラクティブギフト配置マップ135上に地理的ギフトブロッカー215を置く要求をギフト配置論理部130によって受信することを含み得る。この方法は、インタラクティブギフト配置マップ135の真正なコピー上に地理的ギフトブロッカー215を置く要求142を遠隔ギフト配置コンピュータサーバ140に送信することを含み得る。この方法は、要求142に応答して、遠隔ギフト配置コンピュータサーバ140から応答144を受信することを含み得る。この方法は、その応答144が、インタラクティブギフト配置マップ135の真正なコピー上に地理的ギフトブロッカー215が置かれたことを示す承認であることに応答して、スマートモバイルデバイス110上に提示されたインタラクティブギフト配置マップ135上に地理的ギフトブロッカー215を置くことを含み得る。
【００４２】
続いて、ユーザは、地理的ギフトブロッカー215により占有されているのと同じ領域に象徴的ギフトアイテム160を置こうとしてもよい。例えば、この方法は、インタラクティブギフト配置マップ135の真正なコピー上に象徴的ギフトアイテム160を配置する要求142を遠隔ギフト配置コンピュータサーバ140に送信することを含み得る。この方法は、要求142に応答して、遠隔ギフト配置コンピュータサーバ140から応答144を受信することを含み得る。この方法は、その応答144が、地理的ギフトブロッカー215と重なっているために象徴的ギフトアイテム160がインタラクティブギフト配置マップ135の真正なコピー上に置かれていないことを示す否認であることに応答して、スマートモバイルデバイス110上に提示されたインタラクティブギフト配置マップ135上に象徴的ギフトアイテム160を配置しないことを含み得る。
【００４３】
図４は、本発明の概念の様々な実施形態によるインタラクティブなギフトの配置を管理する手法を示すフローチャート400である。この手法は、ギフト配置論理部130が、インタラクティブギフト配置マップ135上に１以上の象徴的ギフトアイテム160を置く要求をユーザ（例えば115，195など）から受信する405から開始し得る。410では、ギフト配置論理部130が、遠隔ギフト配置サーバ140と連携してインタラクティブギフト配置マップ135上に１以上の象徴的ギフトアイテム160を配置する。例えば、ギフト配置論理部130は、特定の地理的位置に１以上の象徴的ギフトアイテム160を置く要求142を遠隔ギフト配置サーバ140に送信することができる。遠隔ギフト配置サーバ140は、１以上の象徴的ギフトアイテム160が置かれたことを示す承認、あるいは１以上の象徴的ギフトアイテム160が置かれなかったことを示す否認を含み得る応答144を送信することができる。ある実施形態においては、遠隔ギフト配置サーバ140は、１以上の象徴的ギフトアイテム160の位置をギフト配置データベース155に記録し、１以上の象徴的ギフトアイテム160の生成と受渡のすべてを追跡することができる。換言すれば、ギフト配置データベース155は、インタラクティブギフト配置マップ135の真正なコピーを含んでいてもよく、様々な他のスマートモバイルデバイス（例えば110）、パーソナルコンピュータ（例えば170）などがインタラクティブギフト配置マップ135上に象徴的ギフトアイテム160を配置する要求を送信する際にこのコピーを保持していてもよい。
【００４４】
415では、ギフト配置論理部130が、別のユーザ（例えば115，195など）が第１の定義済み地理的境界165内にいるか否かを判断する。別のユーザがいない場合には、420で示されるように、インタラクティブギフト配置マップ135上で１以上の象徴的ギフトアイテム160が別のユーザ（例えば115，195など）に見られるようにはされない。別のユーザがいる場合には、422で示されるように、インタラクティブギフト配置マップ135上で１以上の象徴的ギフトアイテム160が別のユーザ（例えば115，195など）に見られるようにされ得る。そして、425では、別のユーザ（例えば115，195など）が第２の定義済み地理的境界168内にいるか否かが判断され得る。別のユーザがいない場合には、430で示されるように、１以上の象徴的ギフトアイテム160を別のユーザ（例えば115，195など）に贈呈する必要がない。別のユーザがいる場合には、435で、遠隔ギフト配置サーバ140と連携して、ギフト配置論理部130によって１以上の象徴的ギフトアイテム160が別のユーザ（例えば115，195など）に贈呈され得る。例えば、スマートモバイルデバイス論理120及びデバイス論理175の一方又は両方のギフト配置論理部130は、要求142を遠隔ギフト配置サーバ140に送信することができる。この要求142は、例えば、１以上の象徴的ギフトアイテム160を別のユーザ（例えば115，195など）に贈呈する要求を含み得る。遠隔ギフト配置サーバ140は、この要求142に対応する応答144を送信することができる。この応答144は、例えば、要求された贈呈動作の承認又は否認を含み得る。440では、ギフト配置論理部130が、１以上の象徴的ギフトアイテム160が贈呈されたことを別のユーザ（例えば115，195など）に通知することができる。
【００４５】
したがって、インタラクティブギフト配置マップ135によってギフトを贈ったり受け取ったりすることが簡単で楽しいものになるので、ユーザ（例えば115，195など）は、ギフトを贈ったり受け取ったりすることに魅力を感じることができる。企業ユーザ（例えば115，195など）は、ギフトを贈呈するキャンペーンを作ってその企業の製品やサービスの販売促進をすることに魅力を感じることができる。
【００４６】
ある実施形態においては、１以上の象徴的ギフトアイテム160又は隠しギフト205を配置するユーザ（例えば115，195など）は、その位置がインタラクティブギフト配置マップ135上で固定されていることを示すことができる。別の実施形態においては、１以上の象徴的ギフトアイテム160又は隠しギフト205を配置するユーザ（例えば115，195など）は、その位置がインタラクティブギフト配置マップ135上で時間とともに移動する又は変化することを示すことができる。ある実施形態においては、「配置」という用語は、１以上の象徴的ギフトアイテム160又は隠しギフト205をインタラクティブギフト配置マップ135に固定すること又はインタラクティブギフト配置マップ135上に置くことを意味し得る。ある実施形態においては、インタラクティブギフト配置マップ135上に商品を配置することができる。
【００４７】
ある実施形態においては、魅力的な地理的ギフト配置を容易にするためのコンピュータにより実現される方法は、スマートモバイルデバイス110上にインタラクティブギフト配置マップ135を提示することを含んでいる。この方法は、インタラクティブギフト配置マップ135上に象徴的ギフトアイテム160を配置する要求をスマートモバイルデバイス110のギフト配置論理部130により受信することを含み得る。この方法は、インタラクティブギフト配置マップ135の真正なコピー上に象徴的ギフトアイテム160を配置する要求142を遠隔ギフト配置コンピュータサーバ140に送信することを含み得る。この方法は、遠隔ギフト配置コンピュータサーバ140から応答144を受信することを含み得る。この方法は、その応答144が、インタラクティブギフト配置マップ135の真正なコピー上に象徴的ギフトアイテム160が置かれたことを示す承認であることに応答して、スマートモバイルデバイス110上に提示されたインタラクティブギフト配置マップ135上に象徴的ギフトアイテム160を配置することを含み得る。
【００４８】
この方法は、スマートモバイルデバイス110が第１の定義済み地理的境界165内に存在しているか否かを判断することを含み得る。この方法は、スマートモバイルデバイス110が第１の定義済み地理的境界165内に存在していないという判断に応答して、スマートモバイルデバイス110上に提示されたインタラクティブギフト配置マップ135上に象徴的ギフトアイテム160を表示しないことを含み得る。この方法は、スマートモバイルデバイス110が第１の定義済み地理的境界165内に存在しているという判断に対して、スマートモバイルデバイス110上に提示されたインタラクティブギフト配置マップ135上に象徴的ギフトアイテム160を表示することを含み得る。
【００４９】
ある実施形態においては、この方法は、スマートモバイルデバイス110が第２の定義済み地理的境界168内に存在しているか否かを判断することを含み得る。この方法は、スマートモバイルデバイス110が第２の定義済み地理的境界168内に存在しないという判断に対して、スマートモバイルデバイス110に関連付けられたユーザ（例えば115）に象徴的ギフトアイテム160を贈呈しないことを含み得る。反対に、この方法は、スマートモバイルデバイス110が第２の定義済み地理的境界168内に存在するという判断に対して、スマートモバイルデバイス110に関連付けられたユーザ115に象徴的ギフトアイテム160を贈呈することを含み得る。この方法は、象徴的ギフトアイテム160がユーザ115に贈呈されたことをユーザ115に通知することを含み得る。
【００５０】
図５は、本発明の概念の様々な実施形態によるビデオ配置論理部530を有するスマートモバイルデバイス110と、ビデオ配置論理部530を有するデスクトップコンピュータ170と、遠隔ビデオ配置サーバ540とを含む例示システム500のブロック図を示している。
【００５１】
システム500は、スマートモバイルデバイス110を含んでおり、このスマートモバイルデバイス110をユーザ115が使用することができる。ユーザ115は、個人又は企業の代理人であり得る。スマートモバイルデバイス110は、例えば、スマートフォン、スマートタブレット、ラップトップコンピュータなどであり得る。スマートモバイルデバイス110は、スマートモバイルデバイス論理120を含み得る。スマートモバイルデバイス論理120は、マイクロプロセッサ125を含み得る。さらに、スマートモバイルデバイス論理120は、ビデオ配置論理部530を含み得る。ビデオ配置論理部530は、マイクロプロセッサ125により制御され得るか、あるいはマイクロプロセッサ125により実行され得る。ビデオ配置論理部530は、以下でさらに詳細に説明されるインタラクティブビデオ配置マップ535を含み得る。ある実施形態においては、上述したインタラクティブギフト配置マップ135とここで述べられるインタラクティブビデオ配置マップ535とは、同一のマップ内にあり、ギフト配置機能とビデオ配置機能の両方を備えている。また、ビデオ配置論理部530は、ビデオブロッカー論理部538を含み得る。ビデオブロッカー論理部538も以下でさらに詳細に説明される。
【００５２】
システム500は、デスクトップコンピュータ170をさらに含み得る。このデスクトップコンピュータ170は、デスクトップコンピュータ170は、ユーザ195により使用され得る。ユーザ195は、個人又は企業の代理人であり得る。デスクトップコンピュータ170は、例えば、パーソナルコンピュータ、ワークステーションコンピュータ、サーバなどであり得る。デスクトップコンピュータ170は、デバイス論理175を含み得る。デバイス論理175は、マイクロプロセッサ190を含み得る。さらに、デスクトップコンピュータ170のデバイス論理175は、ビデオ配置論理部530を含み得る。ビデオ配置論理部530は、マイクロプロセッサ190により制御され得るか、あるいはマイクロプロセッサ190により実行され得る。ビデオ配置論理部530は、以下でさらに詳細に説明されるインタラクティブビデオ配置マップ535を含み得る。
【００５３】
システム500は、遠隔ビデオ配置サーバ540をさらに含み得る。ある実施形態においては、上述した遠隔ギフト配置サーバ140とここで述べられる遠隔ビデオ配置サーバ540とは、同一のビデオコンピュータサーバ内にあり、ギフト配置機能とビデオ配置機能の両方をサポートすることができる。スマートモバイルデバイス110は、クラウド105を介して遠隔ビデオ配置サーバ540と通信可能に連結され得る。遠隔ビデオ配置サーバ540は、例えばコンピュータサーバ145を含み得る。遠隔ビデオ配置サーバ540は、以下でさらに詳細に説明されるマイクロプロセッサ150及びビデオ配置データベース555を含み得る。
【００５４】
システム500は、ビデオ（以下、１以上のビデオ560という）をデジタル的に配置することを容易にするものである。例えば、１以上のビデオ560は、販売促進ビデオ、顧客からの意見を収録したビデオ、情報提供用のビデオ、娯楽ビデオ、映画などを含み得る。ビデオ560がインタラクティブビデオ配置マップ535上に置かれた後、ビデオ560の位置がインタラクティブビデオ配置マップ535上の特定の地理的位置に視覚的に現れ得る。例えば、小さなビデオアイコンがインタラクティブビデオ配置マップ535上に現れて、そのビデオアイコンに関連付けられたビデオが再生可能であることを示してもよい。あるいは、ビデオ560又はビデオアイコンの位置は、インタラクティブビデオ配置マップ535上で視覚的に現れる必要はなく、インタラクティブビデオ配置マップ535上の特定の地理的位置において隠れた状態で存在していてもよい。
【００５５】
ビデオ560は、インタラクティブビデオ配置マップ535上に配置され得る。例えば、ユーザが、ビデオ560を表すアイコンを選択し、指動作でビデオ560がマップ上で地理的に位置すべき場所に対応するインタラクティブビデオ配置マップ535上の場所を指が指すまでスマートモバイルデバイス110のタッチパネルディスプレイ112上をスワイプしてもよい。指を上げることにより、ビデオ560をその場所に関連付けることができ、これによりビデオの配置が完了する。デスクトップコンピュータ170を用いて、指ではなくマウス（図示せず）で同様のビデオ配置の手順を行うことができる。
【００５６】
ある実施形態においては、任意のユーザ（例えば115，195など）は、インタラクティブビデオ配置マップ535を検査して、ビデオの位置を示すビデオ可視アイコンによって見えているビデオ560の存在を認識することができる。ある実施形態においては、ユーザ115が第１の定義済み地理的境界565内にいるときにのみ、そのユーザ115に特定のビデオ560の位置が見えるようにし、そうでない場合には、その特定のビデオ560の位置を視界から見えないようにすることができる。ある実施形態においては、ユーザ115が第１の定義済み地理的境界565の外側にいる場合であっても、そのユーザ115に特定のビデオ560の位置が見えるようにすることができる。ユーザ115は、第２の定義済み地理的境界568内に物理的にいる限り、インタラクティブビデオ配置マップ535上で対応するビデオアイコンを選択することによりそのビデオ560を視聴することができる。第１の定義済み地理的境界565は、第２の定義済み地理的境界568よりも大きい。例えば、第１の定義済み地理的境界565が３マイルの直径を有し、第２の定義済み地理的境界568が50フィートの直径を有していてもよい。第１の地理的境界及び第２の地理的境界（565及び568）のそれぞれは、円、楕円、正方形、矩形、三角形の形状、任意の好適な形状などを有し得る。
【００５７】
ビデオ560の位置は、インタラクティブビデオ配置マップ535上にビデオ560を配置する人や企業の位置と地理的に無関係であってもよい。したがって、ビデオの配置は、匿名にすることができ、あるいは、ビデオの送り主と地理的に無関係であってもよい。例えば、企業は、その企業の実際の物理的な位置でビデオを配置する必要はない。むしろ、企業は、野球場、特別なイベント、シンポジウム、競技場などでビデオを配置することができる。
【００５８】
あるいは、ビデオ560の位置は、インタラクティブビデオ配置マップ535上にビデオ560を配置する人又は企業の位置と地理的に関連付けられていてもよい。したがって、ビデオの配置は、匿名にする必要はなく、企業主と地理的に関連付けられていてもよい。例えば、企業は、その企業の実際の物理的な位置でビデオを配置することができる。
【００５９】
スマートモバイルデバイス論理120及びデバイス論理175の一方又は両方のビデオ配置論理部530は、要求142を遠隔ビデオ配置サーバ540に送信することができる。この要求142は、例えば、インタラクティブビデオ配置マップ上に１以上のビデオ560を配置する要求を含み得る。あるいは、要求142は、例えば、以下でより詳細に述べるビデオブロッカーを生成する要求を含み得る。遠隔ビデオ配置サーバ540は、要求142に対する応答144を送信することができる。この応答144は、例えば、要求された動作の承認又は否認を含み得る。
【００６０】
第１の定義済み地理的境界565内に見えているビデオ配置560をフィルタしてもよい。換言すれば、ユーザ115がインタラクティブビデオ配置マップ535上に見えているビデオ560の量又は種類を限定したいと思った場合に、ユーザ115は、見えているビデオ560の表示を限定する基準を特定することができる。例えば、ユーザは、自動車に関連するビデオのみを見せることを指定し、あるいは、食品に関連するビデオのみを見せることを指定する、といったことをすることができる。ビデオ配置論理部530は、ユーザの嗜好に応じて見えているビデオ配置560をフィルタすることができる。
【００６１】
他の例としては、ユーザ（例えば115，195など）は、ホームレスがよく集まる高速道路のアンダーパスの近くに１以上のビデオ560を配置してもよく、これにより、困窮している状況である可能性があり、援助や元気づけのために激励や情報提供のためのビデオを必要としている他人の命を直接救うことができる。他の例としては、ユーザ（例えば115，195など）は、ハリケーンや地震のような最近の自然災害により被害を受けた地域に１以上の情報提供用のビデオ560を配置してもよく、これにより困難な状況の他人に避難テントや給水ポイントなどの救援場所のような有益な情報を与えることができる。
【００６２】
ビデオ560は、インタラクティブビデオ配置マップ535上のある特定の位置から他の特定の位置へ最初にビデオ560を置いたユーザにより移動され得る。ある実施形態においては、最初にビデオ560を置いたユーザは、所定の待機期間の後、ビデオ560をインタラクティブビデオ配置マップ535上のある特定の位置から他の特定の位置に自動的に移動させるオプションを選択することができる。ある実施形態においては、最初にビデオ560を置いたユーザは、所定の期間にわたって徐々にビデオ560をインタラクティブビデオ配置マップ535上のある特定の位置から他の特定の位置に自動的に移動させるオプションを選択することができる。
【００６３】
ある実施形態においては、企業に勤務しているユーザ（例えば、195）は、広告キャンペーン又は販売促進キャンペーンを作成することができる。例えば、企業は、世界中に、市内に、あるいは近所であっても、様々な地理的位置に１以上のビデオ560を置くことのような販売促進を行うことができる。既存のコーヒーショップ又は新しいコーヒーショップは、例えば、オフィスパークをターゲットにして、そのオフィスパーク中に販売促進ビデオを置くことができる。自動車メーカー又はディーラーのような会社は、その会社の製品を宣伝するために、ある場所である時間に新しいビデオを配置する又は置くという販売促進の宣伝を行うことができる。インタラクティブビデオ配置マップ535で人混みの中に位置しているユーザは、仮想の配置内で最も近いユーザである場合に、通知又は招待を受け取り、招待を承諾するだけでビデオを見ることができる。
【００６４】
ビデオカード、商品、食品、衣服、靴などを含むすべての種類のオファーは、ビデオ内で受取人に対して無料で販売促進されてもよい。ビデオ配置論理部530は、ビデオキャンペーンを作成した企業に対して仮想ビデオ配置ごとに手数料を請求してもよいが、エンドユーザがビデオ560を無料で見るようになっていてもよい。
【００６５】
個人エンドユーザ115は、ビデオ560を見ることができる程度に近いか及びビデオ560がどこ置かれているかに関して距離的な制限を受け得る。例えば、ユーザ115が定義済み地理的境界565内に物理的に位置しているときにユーザ115にビデオ560の位置が見えるようにしてもよい。定義済み地理的境界565は、円形であって、例えば、直径３マイルであってもよい。他の地理的境界や正方形、三角形、又は矩形などの形状を使用してもよいことは理解できよう。
【００６６】
ある実施形態においては、個人エンドユーザ115は、インタラクティブビデオ配置マップ535上の好きなところにビデオ560を置くことができる。例えば、個人エンドユーザ115は、生まれ故郷のホームレスの避難所や世界中のどこにでも１以上の激励ビデオ又は娯楽ビデオ560を置くことができる。特定の場所における自然災害の場合には、個人エンドユーザ115は、災害により影響を受けた町やその近隣に１以上の情報提供用のビデオ560を置くことができる。
【００６７】
ある実施形態においては、個人エンドユーザ115は、公にあるいは匿名でリンクを送ることにより、他人に直接ビデオ560を送ることができる。システム500は、高さ制限のないインタラクティブビデオ配置マップ535上の１以上の地点にビデオ560をデジタル的に配置することを容易にする。
【００６８】
ある実施形態においては、地理的なビデオ配置を容易にするためのシステム500は、遠隔ビデオ配置コンピュータサーバ540に格納されたビデオ配置データベース555を含み得る。ビデオ配置データベース555は、インタラクティブビデオ配置マップ535の真正なコピーを含み得る。システム500は、ビデオ配置論理部530を含み得る。ビデオ配置論理部530は、インタラクティブビデオ配置マップ535を含み得る。ビデオ配置論理部530は、スマートモバイルデバイス110のユーザ（例えば115）にインタラクティブビデオ配置マップ535を提示するように構成され得る。ビデオ配置論理部530は、スマートモバイルデバイス110のタッチパネルディスプレイ112上でユーザの動作を検出するように構成されていてもよい。この動作は、例えば、指を使ったタッチ動作、指を使ったスワイプ動作、指を使ったドラッグ動作、スタイラスを使ったタッチ動作、スタイラスを使ったスワイプ動作、スタイラスを使ったドラッグ動作などであり得る。この動作に応答して、ビデオ配置論理部530は、インタラクティブビデオ配置マップ535の真正なコピー上にビデオ560を配置する要求142を遠隔ビデオ配置コンピュータサーバ540にクラウド105を介して送信するように構成されていてもよい。ビデオ配置論理部530は、クラウド105を介して遠隔ビデオ配置コンピュータサーバ540からの応答144を受信するように構成されていてもよい。ビデオ配置論理部530は、その応答144が、インタラクティブビデオ配置マップ535の真正なコピー上にビデオ560が置かれたことを示す承認であることに応答して、スマートモバイルデバイス110のユーザ115に提示されたインタラクティブビデオ配置マップ535上にビデオ560を配置するように構成されていてもよい。ビデオ配置論理部530は、その応答144が、インタラクティブビデオ配置マップ535上にビデオを配置する要求の否認であることに応答して、スマートモバイルデバイス110のユーザ115に提示されたインタラクティブビデオ配置マップ535上にビデオ560を配置しないように構成されていてもよい。
【００６９】
ある実施形態においては、ビデオ配置論理部530は、ビデオ560を視聴する要求をユーザ（例えば115）から受信するようにさらに構成されていてもよい。ビデオ配置論理部530は、ユーザ115が定義済み地理的境界568の内側にいるかどうかを判断してもよい。ビデオ配置論理部530は、ユーザ115が定義済み地理的境界568の内側にいるという判断に応答して、ユーザ115に対してビデオ560を再生することができる。
【００７０】
図６は、本発明の概念の様々な実施形態によるインタラクティブビデオ配置マップ535の図を示している。ある実施形態においては、インタラクティブビデオ配置マップ535上に１以上の隠しビデオ605を隠すことができ、最初はこの隠しビデオ605が皆に見えないようになっている。最初は隠しビデオ605はユーザ115に見えない。しかしながら、ユーザ115が隠しビデオ605の定義済み近接域610内に入った場合に、自動的にビデオ605がユーザ115に見せられ、このビデオ605が隠されたものではなくなる。
【００７１】
定義済み近接域610は、インタラクティブビデオ配置マップ535上に隠しビデオ605を配置したユーザ又は企業によって設定され得る。定義済み近接域610は、円形、正方形、矩形、あるいは任意の好適な形状を有し得る。定義済み近接域610は、任意の好適な地理的なサイズと面積を有し得る。ビデオ配置論理部530は、ユーザが定義済み地理的境界610の外側にいるときにビデオ605をユーザ115に対して隠すように構成されていてもよい。ビデオ配置論理部530は、ユーザ115が定義済み地理的境界610の内側にいるときにビデオ605をユーザ11に見せるように構成されていてもよい。
【００７２】
ビデオ配置論理部530は、ビデオブロッカー論理部538を含み得る。ビデオブロッカー論理部538は、企業が地理的ビデオブロッカー615を購入することを可能にする。地理的ビデオブロッカー615は、競合者がその物理的位置上にビデオ560を配置することを阻止することができる。すなわち、地理的ビデオブロッカー615が購入されると、ビデオブロッカー論理部538は、他のすべてのユーザ（例えば115）が地理的ビデオブロッカー615内でビデオ560又は隠しビデオ605を配置することを阻止する。したがって、地理的ビデオブロッカー615を購入した企業自体は、自らの位置に関連付けられた自らのビデオを表示することができるが、競合他社がその企業に干渉すること、あるいはその企業の顧客を奪うことを防ぐことができる。ある実施形態においては、特定の物理的位置を所有又は賃借している者のみが、その位置に対する地理的ビデオブロッカー615を購入することができる。
【００７３】
ある実施形態においては、ビデオ配置論理部530は、インタラクティブビデオ配置マップ535上に地理的ビデオブロッカー615を置く要求をユーザ（例えば515）から受信するように構成されていてもよい。ビデオ配置論理部530は、インタラクティブビデオ配置マップ535の真正なコピー上に地理的ビデオブロッカー615を置く要求142を遠隔ビデオ配置コンピュータサーバ540にクラウド105を介して送信し得る。ビデオ配置論理部530は、クラウド105を介して遠隔ビデオ配置コンピュータサーバ540からの応答144を受信し得る。ビデオ配置論理部530は、その応答144が、インタラクティブビデオ配置マップ535の真正なコピー上に地理的ビデオブロッカー615が置かれたことを示す承認であることに応答して、スマートモバイルデバイス110上に提示されたインタラクティブビデオ配置マップ535上に地理的ビデオブロッカー615を置くことができる。ビデオ配置論理部530は、インタラクティブビデオ配置マップ535の真正なコピー上にビデオ560を配置する要求を遠隔ビデオ配置コンピュータサーバ540にクラウド105を介して送信するように構成されていてもよい。ビデオ配置論理部530は、クラウド105を介して遠隔ビデオ配置コンピュータサーバ540からの応答144を受信し得る。ビデオ配置論理部530は、その応答144が、ビデオ560が地理的ビデオブロッカー615と重なるためにインタラクティブビデオ配置マップ535の真正なコピー上に置かれていないことを示す否認であることに応答して、スマートモバイルデバイス110上に提示されたインタラクティブビデオ配置マップ535上にビデオ560を配置しないように構成されていてもよい。
【００７４】
図７は、本発明の概念の様々な実施形態によるインタラクティブビデオ配置マップ535の公平性を実現する手法を示すフローチャート700である。この手法は、ビデオ配置論理部530がインタラクティブビデオ配置マップ535上に地理的ビデオブロッカー615を置く要求をユーザ（例えば115，195など）から受信する705で開始し得る。710では、ビデオ配置論理部530のビデオブロッカー論理部538は、遠隔ビデオ配置サーバ540と連携してインタラクティブビデオ配置マップ535上に地理的ビデオブロッカー615を置くことができる。例えば、ビデオ配置論理部530のビデオブロッカー論理部538は、物理的位置や建物などに対応する特定の地理的位置に地理的ビデオブロッカー615を置く要求142を遠隔ビデオ配置サーバ540に送信し得る。遠隔ビデオ配置サーバ540は、地理的ビデオブロッカー615が置かれたことを示す承認あるいは地理的ビデオブロッカー615が置かれなかったことを示す否認を含み得る応答144を送信し得る。
【００７５】
715では、ビデオ配置論理部530は、インタラクティブビデオ配置マップ535上にビデオ560又は隠しビデオ605を置く要求を別のユーザ（例えば115，195など）から受信する。720では、ビデオ配置論理部530は、ビデオ560又は隠しビデオ605が配置された位置がビデオブロッカー615と重なっているか否かを判断する。重なっている場合には、725でその要求が拒否される。一方、重なっていない場合には、ビデオ配置論理部530は、730でインタラクティブビデオ配置マップ535上にビデオ560又は隠しビデオ605を配置する。
【００７６】
図８は、本発明の概念の様々な実施形態によるインタラクティブなビデオの配置を管理する手法を示すフローチャート800である。この手法は、ビデオ配置論理部530が、インタラクティブビデオ配置マップ535上に１以上のビデオ560を置く要求をユーザ（例えば115，195など）から受信する805から開始し得る。810では、ビデオ配置論理部530が、遠隔ビデオ配置サーバ540と連携してインタラクティブビデオ配置マップ535上に１以上のビデオ560を配置する。例えば、ビデオ配置論理部530は、特定の地理的位置に１以上のビデオ560を置く要求142を遠隔ビデオ配置サーバ540に送信することができる。遠隔ビデオ配置サーバ540は、１以上のビデオ560が置かれたことを示す承認、あるいは１以上のビデオ560が置かれなかったことを示す否認を含み得る応答144を送信することができる。ある実施形態においては、遠隔ビデオ配置サーバ540は、１以上のビデオ560の位置をビデオ配置データベース555に記録し、１以上のビデオ560のビデオ配置とビデオ視聴のすべてを追跡することができる。換言すれば、ビデオ配置データベース555は、インタラクティブビデオ配置マップ535の真正なコピーを含んでいてもよく、様々な他のスマートモバイルデバイス（例えば110）、パーソナルコンピュータ（例えば170）などがインタラクティブビデオ配置マップ535上にビデオ560を配置する要求を送信する際にこのコピーを保持していてもよい。
【００７７】
815では、ビデオ配置論理部530が、別のユーザ（例えば115，195など）が第１の定義済み地理的境界565内にいるか否かを判断する。別のユーザがいない場合には、820で示されるように、インタラクティブビデオ配置マップ535上でビデオ560の位置が別のユーザ（例えば115，195など）に見られるようにはされない。別のユーザがいる場合には、822で示されるように、インタラクティブビデオ配置マップ535上でビデオ560の位置が別のユーザ（例えば115，195など）に見られるようにされ得る。そして、825では、別のユーザ（例えば115，195など）が第２の定義済み地理的境界568内にいるか否かが判断され得る。別のユーザがいない場合には、830で示されるように、ビデオ560を別のユーザ（例えば115，195など）に表示する必要がない。別のユーザがいる場合には、835で、遠隔ビデオ配置サーバ540と連携して、ビデオ配置論理部530によってビデオ560が別のユーザ（例えば115，195など）に対して表示され得る。例えば、スマートモバイルデバイス論理120及びデバイス論理175の一方又は両方のビデオ配置論理部530は、要求142を遠隔ビデオ配置サーバ540に送信することができる。この要求142は、例えば、特定のビデオを視聴する別のユーザ（例えば115，195など）による要求を含み得る。遠隔ビデオ配置サーバ540は、この要求142に対応する応答144を送信することができる。この応答144は、例えば、要求された動作の承認又は否認、当該特定のビデオ自体、及び／又は当該特定のビデオのストリームを含み得る。
【００７８】
したがって、ビデオを特定の物理的位置と地理的に関連付けたり、地理的に無関係なものとしたりすることができるため、インタラクティブビデオ配置マップ535によってビデオを視聴することが面白いものになるので、ユーザ（例えば115，195など）は、ビデオを視聴することに魅力を感じることができる。企業ユーザ（例えば115，195など）は、ビデオキャンペーンを作ってその企業の製品やサービスの販売促進をすることに魅力を感じることができる。
【００７９】
ある実施形態においては、ビデオ560又は隠しビデオ605を配置するユーザ（例えば115，195など）は、その位置がインタラクティブビデオ配置マップ535上で固定されていることを示すことができる。別の実施形態においては、ビデオ560又は隠しビデオ605を配置するユーザ（例えば115，195など）は、その位置がインタラクティブビデオ配置マップ535上で時間とともに移動する又は変化することを示すことができる。ある実施形態においては、「配置」という用語は、ビデオ560又は隠しビデオ605をインタラクティブビデオ配置マップ535に固定すること又はインタラクティブビデオ配置マップ535上に置くことを意味し得る。ある実施形態においては、インタラクティブビデオ配置マップ535上に商品を配置することができる。
【００８０】
実施形態が本明細書において述べられ、機能ブロック、ユニット及び／又はモジュールの形で図面に示されている。当業者であれば、半導体を用いた製造方法又は他の製造技術を用いて形成され得る論理回路、個別部品、マイクロプロセッサ、ハードワイヤード回路、メモリ素子、ワイヤ接続などの電子（又は光学）回路によって、これらのブロック、ユニット及び／又はモジュールを物理的に実現できることを理解するであろう。ブロック、ユニット及び／又はモジュールがマイクロプロセッサやこれに類似するものにより実現される場合には、それらが、本明細書において述べられた様々な機能を実現するようにソフトウェア（例えばマイクロコード）を用いてプログラミングされていてもよく、必要に応じてファームウェア及び／又はソフトウェアにより駆動されてもよい。あるいは、それぞれのブロック、ユニット及び／又はモジュールは、専用ハードウェアにより、あるいはある機能を実現する専用ハードウェアと他の機能を実現するプロセッサ（例えば、１以上のプログラムドマイクロプロセッサ及び関連する回路）の組み合わせとして実現されてもよい。また、実施形態におけるそれぞれのブロック、ユニット及び／又はモジュールは、本発明の概念の範囲を逸脱することなく、２以上の相互作用する個別ブロック、ユニット及び／又はモジュールに物理的に分離されていてもよい。さらに、実施形態におけるそれぞれのブロック、ユニット及び／又はモジュールは、本発明の概念の範囲を逸脱することなく、より多くの複合ブロック、ユニット及び／又はモジュールに物理的に統合されていてもよい。
【００８１】
以下の説明は、本発明の概念のある態様を実現することができる好適な１以上の装置についての簡単で一般的な説明を提供することを意図しているものである。典型的には、１以上の装置は、プロセッサが取り付けられるシステムバスと、例えば、ランダムアクセスメモリ（RAM）、読取専用メモリ（ROM）や他の状態の保存媒体のようなメモリと、記憶装置と、ビデオインタフェイスと、入力／出力インタフェイスポートとを含んでいる。１以上の装置は、キーボードやマウスなどの従来の入力装置により、また、他の装置から受信した指示、仮想現実（VR）環境との相互作用、生体情報のフィードバック、又は他の入力信号により少なくとも部分的に制御され得る。本明細書で使用される場合には、「装置」という用語は、単一の装置、バーチャルマシーン、又は通信可能に連結され、共に動作する装置、バーチャルマシーン、デバイスからなるシステムを広く包含することを意図するものである。そのような装置の例としては、パーソナルコンピュータ、ワークステーション、サーバ、ポータブルコンピュータ、ハンドヘルドデバイス、電話、タブレットなどの計算器デバイスや、例えば車や電車、タクシーなどの個人的な移動手段や公共の移動手段のような交通移動デバイスが挙げられる。
【００８２】
１以上の装置は、プログラマブル又は非プログラマブル論理デバイス又はアレイのような組込コントローラ、特定用途向け集積回路（ASIC）、組込コンピュータ、スマートカードなどを含み得る。１以上の装置は、ネットワークインタフェイス、モデム、又は他の通信カップリングなどを介して１以上の遠隔装置に対して１以上の接続を利用することができる。イントラネット、インターネット、ローカルエリアネットワーク、ワイドエリアネットワークなどの物理ネットワーク及び／又は論理ネットワークによって装置を相互接続することができる。当業者であれば、ネットワーク通信が、無線周波数（RF）、人工衛星、マイクロ波、電気電子技術者協会（IEEE）545.11、Bluetooth（登録商標）、光学、赤外、ケーブル、レーザなどの様々な有線及び／又は無線の短距離又は長距離キャリア及びプロトコルを利用できることを理解するであろう。
【００８３】
本発明の概念の実施形態は、装置によりアクセスされた場合に、装置がタスクを実行し、あるいは抽象データ型又は低レベルハードウェアコンテキストを規定することとなる機能、手順、データ構造、アプリケーションプログラムなどを含む関連データを参照することにより、あるいはこれらの関連データと関連して述べることができる。関連データは、例えば揮発性及び／又は不揮発性メモリ（例えばRAM、ROMなど）や、ハードディスクドライブ、フロッピーディスク、光記憶装置、テープ、フラッシュメモリ、メモリスティック、デジタルビデオディスク、生物記憶装置などの他の記憶デバイス及びその関連する記憶媒体に格納することができる。関連データは、パケット、シリアルデータ、パラレルデータ、伝搬信号などの形態で、物理ネットワーク及び／又は論理ネットワークを含む伝送環境を通じて送信することができ、圧縮フォーマット又は暗号化フォーマットで使用することができる。関連データは、分散環境において使用することができ、装置からのアクセスのためにローカル保存及び／又はリモート保存することができる。
【００８４】
図示された実施形態を参照しつつ、本発明の概念の原理が述べられ示されてきたが、そのような原理から逸脱することなく、図示された実施形態をその構成及び詳細において修正することができ、所望の形態に組み合わせることができることは理解できよう。また、上述した説明は、特定の実施形態に焦点を当てたものであるが、他の構成も考えられる。特に、本明細書においては「本発明の実施形態による」などの表現が使用されているが、これらの表現は、一般的に実施形態の可能性に言及することを意味しており、本発明の概念を特定の実施形態の構成に限定することを意図しているものではない。本明細書で使用される場合には、これらの用語は、他の実施形態に組み合わせることが可能な同一又は異なる実施形態を意味し得る。
【００８５】
本発明の実施形態は、１以上のプロセッサにより実行可能な命令を含む非一時的な機械読取可能な媒体を含み得る。これらの命令は、本明細書で述べた実施形態の構成要素を実施するための命令を含んでいる。
【００８６】
したがって、本明細書で述べた実施形態の様々な形態の置換の観点から、本詳細な説明及び添付資料は、説明を目的とすることを意図しており、本発明の概念の範囲を限定するものと解釈すべきではない。したがって、本発明として権利を要求するものは、以下の特許請求の範囲及びその均等物の範囲及び精神の範囲内にあり得るすべての改良である。
【図１】
0006959456.tif 000002
【図２】
0006959456.tif 000003
【図３】
0006959456.tif 000004
【図４】
0006959456.tif 000005
【図５】
0006959456.tif 000006
【図６】
0006959456.tif 000007
【図７】
0006959456.tif 000008
【図８】
0006959456.tif 000009